(57)【要約】      （修正有）【課題】電子設備に応用される軽薄な表示装置を提供する。【解決手段】第１発光モジュール２１２、第２発光モジュール２１３及び回路基板２１４から構成される。回路基板２１４は第１発光モジュール２１２及び第２発光モジュール２１３と平行であり、回路基板２１４の第１側面は第１側面及び第２発光モジュール２１３との間のギャップから延び出し、第１発光モジュール２１２及び第２発光モジュール２１３により発生される第１ビーム及び第２ビームは回路基板２１４の第１側面によって遮断させる。【選択図】図３
2013182273.tif 000002
【特許請求の範囲】
【請求項１】
ケースを有すると共に前記ケースの下方に設けられる電子設備に応用される表示装置であって、
前記表示装置は
少なくとも１つの第１発光パターンを有し、第１ビームを発生させ、前記第１ビームに応じて前記少なくとも１つの第１発光パターンを表示させる第１発光モジュールと、
前記第１発光モジュールの下方に設けられると共に、少なくとも１つの第２発光パターンを有し、第２ビームを発生させ、前記第２ビームに応じて前記少なくとも１つの第２発光パターンを表示させる第２発光モジュールと、
前記第１発光モジュール及び前記第２発光モジュールの間に設けられる回路基板を具備し、
前記回路基板の第１側面は前記第１発光モジュール及び前記第２発光モジュールの間のギャップから延び出し、前記第１ビームや前記第２ビームを遮断させることを特徴とする電子設備に応用される表示装置。
【請求項２】
前記ケースはさらに前記第１発光モジュールの上方に設けられ、前記第１発光モジュールを保護するために用いられる保護膜層を含み、前記保護膜層は遮光領域及び真光領域を含み、前記遮光領域は前記真光領域の周りを取り囲み、前記遮光領域は前記第１ビームや前記第２ビームを遮蔽させるために用いられ、前記真光領域は前記第１ビームや前記第２ビームに応じて前記少なくとも１つの第１発光パターンや前記少なくとも１つの第２発光パターンを表示させるために用いられ、前記真光領域はあらかじめセットされた遮光率を有し、ここでは、前記第１ビームや前記第２ビームが発生されない場合、前記第１発光モジュールや前記第２発光モジュールはあらかじめセットされた遮光率に応じて、前記少なくとも１つの第１発光パターンや前記少なくとも１つの第２発光パターンを表示しないことを特徴とする、請求項１に記載の電子設備に応用される表示装置。
【請求項３】
前記第１ビームや前記第２ビームが発生されない場合、前記真光領域はあらかじめセットされた遮光率に応じて外から来る光線を遮蔽し、前記少なくとも１つの第１発光パターンや前記少なくとも１つの第２発光パターンを表示せず、前記あらかじめセットされた遮光率は７５％〜８０％の間であることを特徴とする、請求項２に記載の電子設備に応用される表示装置。
【請求項４】
前記第１発光モジュールは第１発光部材及び第１導光板からなり、前記第１発光部材は前記回路基板の第１面上に設けられ、前記第１ビームを発生させるために用いられ、前記第１導光板は前記回路基板の前記第１面上に重ねて置かれると共に、前記第１発光部材の第１側面に位置し、前記第１ビームをガイドするために用いられ、前記第２発光モジュールは第２発光部材及び第２導光板を含み、前記第２発光部材は前記回路基板の第２面上に設けられ、前記第２ビームを発生させるために用いられ、前記第２導光板は前記回路基板の前記第２面上に重ねて置かれると共に、前記第２発光部材の第１側面に位置し、前記第２ビームをガイドするために用いられることを特徴とする、請求項１に記載の電子設備に応用される表示装置。
【請求項５】
前記第１導光板は少なくとも１つの第１孔部を含み、前記第２導光板は前記少なくとも１つの第１孔部に対応する少なくとも１つの第２孔部を含み、それぞれの前記第２孔部はそれぞれの前記第１孔部と対向し、前記ケースはさらに前記少なくとも１つの第１孔部及び前記少なくとも１つの第２孔部と対応する少なくとも１つの位置決めピンを含み、前記少なくとも１つの第1孔部及び前記少なくとも１つの第２孔部を貫通し、前記第１導光板と前記第２導光板を前記ケース上に固定させるために用いられることを特徴とする、請求項４に記載の電子設備に応用される表示装置。
【請求項６】
前記第１発光部材及び前記第２発光部材はどれも側向式発光ダイオードであり、前記回路基板は前記第１導光板及び前記第２導光板と平行であることを特徴とする、請求項４に記載の電子設備に応用される表示装置。
【請求項７】
前記第１導光板はポリカーボネート（ＰＣ）材質か、ポリメチル・メタクリレート（ＰｏｌｙＭｅｔｈｙｌ  ＭｅｔｈＡｃｒｙｌａｔｅ，ＰＭＭＡ）材質によって製造され、前記少なくとも１つの第１発光パターンは前記第１導光板の上表面か下表面上に設けられ、前記第２導光板はポリカーボネート材質か、ポリメチル・メタクリレート材質によって製造され、前記少なくとも１つの第２発光パターンは前記第２導光板の上表面か下表面上に設けられ、前記少なくとも１つの第１発光パターン及び前記少なくとも１つの第２発光パターンはどれも複数の微導光構造密集配列によってなることを特徴とする、請求項４に記載の電子設備に応用される表示装置。
【請求項８】
前記第１導光板の前記上表面と前記第２導光板の前記上表面が平坦な表面の場合、前記第１導光板と前記第２導光板は硬質のポリカーボネート材質か、ポリメチル・メタクリレート材質を採用して製造され、前記第１導光板と前記第２導光板の厚さは約１ミリメートル（ｍｍ）であり、前記第１導光板の前記上表面と前記第２導光板の前記上表面が彎曲した表面の場合、前記第１導光板と前記第２導光板は軟質のポリカーボネート材質か、ポリメチル・メタクリレート材質を採用して製造され、前記第１導光板と前記第２導光板の厚さは０．２から０．４ミリメートルであることを特徴とする、請求項７に記載の電子設備に応用される表示装置。
【請求項９】
前記回路基板はさらに白色光沢面ソルダマスクインクを含み、前記第１ビームや前記第２ビームを反射させるために用いられ、ここでは、前記白色光沢面ソルダマスクインクは前記回路基板の第１面及び第２面に印刷技術によって形成されることを特徴とする、請求項１に記載の電子設備に応用される表示装置。
【請求項１０】
前記電子設備はマウス、充電スタンド、シュレッダー、ブルータスイヤホンや、無線キーボードのいずれかの１つであることを特徴とする、請求項１に記載の電子設備に応用される表示装置。
【請求項１１】
ケースを有すると共に、表示装置は前記ケースの下方に設けられる電子設備に応用される表示装置であって、
前記表示装置は
少なくとも１つの第１発光パターンを有し、第１ビームを発生させ、前記第１ビームに応じて前記少なくとも１つの第１発光パターンを表示させる第１発光モジュールと、
前記第１発光モジュールの下方に設けられると共に、少なくとも１つの第２発光パターンを有し、第２ビームを発生させ、前記第２ビームに応じて前記少なくとも１つの第２発光パターンを表示させる第２発光モジュールと、
前記第１発光モジュール及び前記第２発光モジュールの間に設けられる回路基板と、
前記回路基板の第１側面に設けられると共に、前記第１発光モジュール及び前記第２発光モジュールの間に位置し、前記第１ビームや前記第２ビームを遮断させるために用いられる遮光部材と、
を具備することを特徴とする電子設備に応用される表示装置。
【請求項１２】
前記ケースはさらに前記第１発光モジュールの上方に設けられ、前記第１発光モジュールを保護するために用いられる保護膜層を含み、前記保護膜層は遮光領域及び真光領域を含み、前記遮光領域は前記第１ビームや前記第２ビームを遮蔽させるために用いられ、前記真光領域は前記第１ビームや前記第２ビームに応じて前記少なくとも１つの第１発光パターンや前記少なくとも１つの第２発光パターンを表示させるために用いられ、前記真光領域はあらかじめセットされた遮光率を有し、前記第１ビームや前記第２ビームが発生されない場合、前記第１発光モジュールや前記第２発光モジュールはあらかじめセットされた遮光率に応じて、前記少なくとも１つの第１発光パターンや前記少なくとも１つの第２発光パターンを表示しないことを特徴とする、請求項１１に記載の電子設備に応用される表示装置。
【請求項１３】
前記第１ビームや前記第２ビームが発生されない場合、前記真光領域はあらかじめセットされた遮光率に応じて外から来る光線を遮蔽し、前記少なくとも１つの第１発光パターンや前記少なくとも１つの第２発光パターンを表示させず、ここでは、前記あらかじめセットされた遮光率は７５％〜８０％の間であることを特徴とする、請求項１２に記載の電子設備に応用される表示装置。
【請求項１４】
前記第１発光モジュールは第１発光部材及び第１導光板からなり、前記第１発光部材は前記回路基板の第１面上に設けられ、前記第１ビームを発生させるために用いられ、前記第１導光板は前記回路基板の前記第１面上に重ねて置かれると共に、前記第１発光部材の第１側面に位置し、前記第１ビームをガイドするために用いられ、前記第２発光モジュールは第２発光部材及び第２導光板を含み、前記第２発光部材は前記回路基板の第２面上に設けられ、前記第２ビームを発生させるために用いられ、前記第２導光板は前記回路基板の前記第２面上に重ねて置かれると共に、前記第２発光部材の第１側面に位置し、前記第２ビームをガイドするために用いられることを特徴とする、請求項１１に記載の電子設備に応用される表示装置。
【請求項１５】
前記第１導光板は少なくとも１つの第１孔部を含み、前記第２導光板は前記少なくとも１つの第１孔部に対応する少なくとも１つの第２孔部を含み、それぞれの前記第２孔部はそれぞれの前記第１孔部と対向し、前記ケースはさらに前記少なくとも１つの第１孔部及び前記少なくとも１つの第２孔部と対応する少なくとも１つの位置決めピンを含み、前記少なくとも１つの第1孔部及び前記少なくとも１つの第２孔部を貫通し、前記第１導光板と前記第２導光板を前記ケース上に固定させるために用いられることを特徴とする、請求項１４に記載の電子設備に応用される表示装置。
【請求項１６】
前記第１発光部材及び前記第２発光部材はどれも側向式発光ダイオードであり、前記回路基板は前記第１導光板及び前記第２導光板と平行であることを特徴とする、請求項１４に記載の電子設備に応用される表示装置。
【請求項１７】
前記第１導光板はポリカーボネート材質か、ポリメチル・メタクリレート材質によって製造され、前記少なくとも１つの第１発光パターンは前記第１導光板の上表面上か下表面上に設けられ、前記第２導光板はポリカーボネート材質か、ポリメチル・メタクリレート材質によって製造され、前記少なくとも１つの第２発光パターンは前記第２導光板の上表面上か下表面上に設けられ、前記少なくとも１つの第１発光パターン及び前記少なくとも１つの第２発光パターンはどれも複数の微導光構造密集配列によってなることを特徴とする、請求項４に記載の電子設備に応用される表示装置。
【請求項１８】
前記第１導光板の前記上表面と前記第２導光板の前記上表面が平坦な表面のとき、前記第１導光板と前記第２導光板は硬質のポリカーボネート材質か、ポリメチル・メタクリレート材質を採用して製造され、前記第１導光板と前記第２導光板の厚さは約１ミリメートル（ｍｍ）であり、前記第１導光板の前記上表面と前記第２導光板の前記上表面が彎曲した表面のとき、前記第１導光板と前記第２導光板は軟質のポリカーボネート材質か、ポリメチル・メタクリレート材質を採用して製造され、前記第１導光板と前記第２導光板の厚さは０．２から０．４ミリメートルであることを特徴とする、請求項１７に記載の電子設備に応用される表示装置。
【請求項１９】
前記遮光部材は前記第１導光板の下表面上か前記第２導光板の上表面上に設けられるとともに、前記遮光部材は塗布方式、噴霧方式、印刷方式か、貼り付け方式で前記第１導光板の前記下表面上か前記第２導光板の前記上表面上に形成される遮光材料であることを特徴とする、請求項１４に記載の電子設備に応用される表示装置。
【請求項２０】
前記遮光部材はプラスチック薄膜か、海綿か、遮光板であり、これは前記第１導光板及び前記第２導光板の間のギャップに設けられると共に、前記回路基板の前記第１側面に位置することを特徴とする、請求項１４に記載の電子設備に応用される表示装置。
【請求項２１】
前記回路基板はさらに白色光沢面ソルダマスクインクを含み、前記第１ビームや前記第２ビームを反射させるために用いられ、ここでは、前記白色光沢面ソルダマスクインクは前記回路基板の第１面及び第２面に印刷技術によって形成されることを特徴とする、請求項１１に記載の電子設備に応用される表示装置。
【請求項２２】
前記電子設備はマウス、充電スタンド、シュレッダー、ブルータスイヤホンや、無線キーボードのいずれかの１つであることを特徴とする、請求項１１に記載の電子設備に応用される表示装置。
【発明の詳細な説明】
【技術分野】
【０００１】
本発明は表示装置に関し、より詳しくは、異なるパターンを表示する表示装置に関する。
【背景技術】
【０００２】
現代の電子設備上には通常ケース上に設けられる表示装置があり、表示機能を提供し、ユーザーは表示装置に表示される異なるパターンに基づき、前記電子設備の現在の状態を知ることができる。一般的に言えば、表示装置は発光部材及び表示パネルを含み、発光部材がビームを発生させ、ビームが投射されて表示パネルに入るとき、表示パネルはビームの通過に応じて、複数の発光パターンをその上に表示させる。
【０００３】
図１は周知の表示装置の内部構造分解概略図である。周知の表示装置１はバックライトモジュール１０及び表示パネル１１を含み、バックライトモジュール１０は表示パネルの下方（つまり、図１の右側）に設けられ、表示パネル１１はＴＮ型（Ｔｗｉｓｔｅｄ  Ｎｅｍａｔｉｃ，ＴＮ）液晶表示パネルである。バックライトモジュール１０は少なくとも１つの発光部材（図中では未表示）及び導光板１０１を含み、少なくとも１つの発光部材は少なくとも１つのビームを発生させ導光板１０１に投射させるために用いられ、導光板１０１は少なくとも１つのビームが表示パネル１１に投射されるようにガイドさせるために用いられる。
【０００４】
表示パネル１１は第１偏光フィルター１１１、第１ガラス板１１２、複数の液晶分子１１３、第２ガラス板１１４及び第２偏光フィルター１１５を含み、第１偏光フィルター１１１は第１ガラス板１１２の上方（つまり、図１の左側）に設けられ、第１偏光フィルターは垂直方向のフィルターであり、これは周知の表示パネル１に投射され入るビームをフィルタリングさせるために用いられ、垂直方向に沿って進むビームのみを通過させる。第１ガラス板１１２は第１偏光フィルター１１１と複数の液晶分子１１３の間に設けられ、これは第１透明導電膜１１２１を具え、第１ガラス板１１２の表面上に塗布され、電極として用いられ、第１透明導電膜１１２１は数字の８の形状で設けられる。第２ガラス板１１４は複数の液晶分子１１３及び第２偏光フィルター１１５の間に設けられ、これは第２透明導電膜（図１では図示せず）を具え、第２ガラス板１１４の表面上に塗布され、電極として用いられ、第１透明導電膜１１２１と第２透明導電膜はどれもインジウムスズ酸化物（Ｉｎｄｉｕｍ  Ｔｉｎ  Ｏｘｉｄｅ，ＩＴＯ）によって製造され、第１透明導電膜１１２と第２透明導電膜は制御回路（図１では図示せず）に接続される。
【０００５】
複数の液晶分子１１３は第１ガラス板１１２と第２ガラス板１１４の間に設けられ、この複数の液晶分子はその配列状態によりビームの進行方向を回転させ、ビームの進行方向の回転角度は０から９０度であり、この回転角度は複数の液晶分子の配列状態により変更される。
【０００６】
第１ガラス板１１２において、この第１ガラス板１１２の表面上にはさらに第１表面配向剤（図１では図示せず）がめっきされ、これは複数の液晶分子１１３を垂直方向に沿って第１ガラス板１１２の表面と平行になるよう配列させるために用いられる。第２ガラス板１１４の表面上にはさらに第２表面配向剤（図１では図示せず）がめっきされ、これは複数の液晶分子を水平方向に沿って第２ガラス板１１４の表面と平行になるよう配列させるために用いられる。第２偏光フィルター１１５は第２ガラス板１１４の下方（つまり、図１の右側）に設けられ、第２偏光フィルター１１５は水平方向のフィルターであり、これは周知の表示パネル１に投射され入るビームをフィルタリングさせるために用いられ、水平方向に沿って進むビームのみを通過させる。
【０００７】
バックライトモジュール１０が少なくとも１つのビームを発生させ、前記少なくとも１つのビームが表示パネル１１に投射される場合、前記少なくとも１つのビームは第２偏光フィルター１１５に入り、前記少なくとも１つのビームのうち、水平方向に沿って進む一部のビームは第２偏光フィルター１１５を通過し、その残りのビームはフィルタリングされる。次に、第２偏光フィルター１１５を通過した一部のビームは第２ガラス板１１４に入り、一部のビームは第２ガラス板１１４上の水平配列の複数の液晶分子１１４間のギャップを通過する。複数の液晶分子１１３中の一部のビームは複数の液晶分子１１３の配列に応じて９０度回転させられ、回転させられた前記一部のビームは垂直方向に沿って、垂直配列の複数の液晶分子１１３間のギャップを通過し、複数の液晶分子１１３から離れる。さらに、前記一部のビームは順々に第１ガラス板１１２及び第１偏光フィルター１１１を通過する。前記一部のビームは垂直方向に沿って進むため、前記一部のビームは第１偏光フィルター１１１を通過する。ここでは、ビームが第１ガラス板１１２の第１透明導電膜１１２１を通過するとき、この第１透明導電膜１１２１は明るい色を表示し、ビームが通過しないとき、この第１透明導電膜１１２１は暗い色を表示し、これにより、数字が表示パネル１１上に表示される。
【０００８】
ここでは、複数の液晶分子１１３の配列状態は電界の変化により変更され、この電界の変化は第1透明導電膜１１２１及び第２透明導電膜が接続される制御回路によって制御され、この制御回路は電界を変更させ、複数の液晶分子１１３の配列を制御させるために用いられる。複数の液晶分子の異なる配列により、このビームは異なる位置の第１透明導電膜１１２１を通過し、表示パネル１１は異なる数字を表示させる。周知の表示装置１は数字を表示できるだけではなく、この第１ガラス板１１２上の第１透明導電膜１１２１は異なる形状となるよう設計することができ、周知の表示装置１は数字やアルファベットを表示することができる。
【発明の概要】
【発明が解決しようとする課題】
【０００９】
しかしながら、前述した従来の技術では、周知の表示装置１の表示パネル１１は何層も重ねることによってはじめて作動させることができ、その厚さを下げることができず、その表示パネル１１は比較的大きい空間を使用することによってはじめて周知の表示装置１内に設けることが可能であり、周知の表示装置１の軽量薄型化には好ましくない。これ以外に、周知の表示装置１は制御回路を設ける必要があり、複数の液晶分子の配列を制御させ、異なるパターンを表示させるが、この制御回路及び複雑な表示パネルは必須であるため、周知の表示装置１のコストは下げることができない。これ以外に、異なるパターンを表示させるハイエンドな表示装置はすべてのユーザーのニーズに符合するわけではないため、市場では単純なパターンや単純な文字のみを表示させる簡易表示装置を求めるユーザーも存在する。このため、異なるパターンを表示できる簡易な表示装置が必要とされている。
【００１０】
本発明は、このような従来の問題に鑑みてなされたものである。上記課題解決のため、本発明は、電子設備に応用される軽量薄型の表示装置を提供することを主目的とする。
【００１１】
本発明のほかの目的は、簡易な表示機能を具える電子設備に応用される表示装置を提供することにある。
【００１２】
上述した課題を解決し、目的を達成するために、本発明に係る電子設備に応用される表示装置はケースを有すると共に前記ケースの下方に設けられ、
前記表示装置は
少なくとも１つの第１発光パターンを有し、第１ビームを発生させ、前記第１ビームに応じて前記少なくとも１つの第１発光パターンを表示させる第１発光モジュールと、
前記第１発光モジュールの下方に設けられると共に、少なくとも１つの第２発光パターンを有し、第２ビームを発生させ、前記第２ビームに応じて前記少なくとも１つの第２発光パターンを表示させる第２発光モジュールと、
前記第１発光モジュール及び前記第２発光モジュールの間に設けられる回路基板を具備し、
前記回路基板の第１側面は前記第１発光モジュール及び前記第２発光モジュールの間のギャップから延び出し、前記第１ビームや前記第２ビームを遮断させることを特徴とする。
【００１３】
この好ましい実施例では、前記ケースはさらに前記第１発光モジュールの上方に設けられ、前記第１発光モジュールを保護するために用いられる保護膜層を含み、前記保護膜層は遮光領域及び真光領域を含み、前記遮光領域は前記真光領域の周りを取り囲み、前記遮光領域は前記第１ビームや前記第２ビームを遮蔽させるために用いられ、前記真光領域は前記第１ビームや前記第２ビームに応じて前記少なくとも１つの第１発光パターンや前記少なくとも１つの第２発光パターンを表示させるために用いられ、前記真光領域はあらかじめセットされた遮光率を有し、ここでは、前記第１ビームや前記第２ビームが発生されない場合、前記第１発光モジュールや前記第２発光モジュールはあらかじめセットされた遮光率に応じて、前記少なくとも１つの第１発光パターンや前記少なくとも１つの第２発光パターンを表示しないことを特徴とする。
【００１４】
この好ましい実施例では、前記第１ビームや前記第２ビームが発生されない場合、前記真光領域はあらかじめセットされた遮光率に応じて外から来る光線を遮蔽し、前記少なくとも１つの第１発光パターンや前記少なくとも１つの第２発光パターンを表示せず、前記あらかじめセットされた遮光率は７５％〜８０％の間であることを特徴とする。
【００１５】
この好ましい実施例では、前記第１発光モジュールは第１発光部材及び第１導光板からなり、前記第１発光部材は前記回路基板の第１面上に設けられ、前記第１ビームを発生させるために用いられ、前記第１導光板は前記回路基板の前記第１面上に重ねて置かれると共に、前記第１発光部材の第１側面に位置し、前記第１ビームをガイドするために用いられ、前記第２発光モジュールは第２発光部材及び第２導光板を含み、前記第２発光部材は前記回路基板の第２面上に設けられ、前記第２ビームを発生させるために用いられ、前記第２導光板は前記回路基板の前記第２面上に重ねて置かれると共に、前記第２発光部材の第１側面に位置し、前記第２ビームをガイドするために用いられることを特徴とする。
【００１６】
この好ましい実施例では、前記第１導光板は少なくとも１つの第１孔部を含み、前記第２導光板は前記少なくとも１つの第１孔部に対応する少なくとも１つの第２孔部を含み、それぞれの前記第２孔部はそれぞれの前記第１孔部と対向し、前記ケースはさらに前記少なくとも１つの第１孔部及び前記少なくとも１つの第２孔部と対応する少なくとも１つの位置決めピンを含み、前記少なくとも１つの第1孔部及び前記少なくとも１つの第２孔部を貫通し、前記第１導光板と前記第２導光板を前記ケース上に固定させるために用いられることを特徴とする。
【００１７】
この好ましい実施例では、前記第１発光部材及び前記第２発光部材はどれも側向式発光ダイオードであり、前記回路基板は前記第１導光板及び前記第２導光板と平行であることを特徴とする。
【００１８】
この好ましい実施例では、前記第１導光板はポリカーボネート（ＰＣ）材質か、ポリメチル・メタクリレート（ＰｏｌｙＭｅｔｈｙｌ  ＭｅｔｈＡｃｒｙｌａｔｅ，ＰＭＭＡ）材質によって製造され、前記少なくとも１つの第１発光パターンは前記第１導光板の上表面か下表面上に設けられ、前記第２導光板はポリカーボネート材質か、ポリメチル・メタクリレート材質によって製造され、前記少なくとも１つの第２発光パターンは前記第２導光板の上表面か下表面上に設けられ、前記少なくとも１つの第１発光パターン及び前記少なくとも１つの第２発光パターンはどれも複数の微導光構造密集配列によってなることを特徴とする。
【００１９】
この好ましい実施例では、前記第１導光板の前記上表面と前記第２導光板の前記上表面が平坦な表面の場合、前記第１導光板と前記第２導光板は硬質のポリカーボネート材質か、ポリメチル・メタクリレート材質を採用して製造され、前記第１導光板と前記第２導光板の厚さは約１ミリメートル（ｍｍ）であり、前記第１導光板の前記上表面と前記第２導光板の前記上表面が彎曲した表面の場合、前記第１導光板と前記第２導光板は軟質のポリカーボネート材質か、ポリメチル・メタクリレート材質を採用して製造され、前記第１導光板と前記第２導光板の厚さは０．２から０．４ミリメートルであることを特徴とする。
【００２０】
この好ましい実施例では、前記回路基板はさらに白色光沢面ソルダマスクインクを含み、前記第１ビームや前記第２ビームを反射させるために用いられ、ここでは、前記白色光沢面ソルダマスクインクは前記回路基板の第１面及び第２面に印刷技術によって形成されることを特徴とする。
【００２１】
この好ましい実施例では、前記電子設備はマウス、充電スタンド、シュレッダー、ブルータスイヤホンや、無線キーボードのいずれかの１つであることを特徴とする。
【００２２】
この好ましい実施例では、本発明に係る電子設備に応用される表示装置はケースを有すると共に、表示装置は前記ケースの下方に設けられ、
前記表示装置は
少なくとも１つの第１発光パターンを有し、第１ビームを発生させ、前記第１ビームに応じて前記少なくとも１つの第１発光パターンを表示させる第１発光モジュールと、
前記第１発光モジュールの下方に設けられると共に、少なくとも１つの第２発光パターンを有し、第２ビームを発生させ、前記第２ビームに応じて前記少なくとも１つの第２発光パターンを表示させる第２発光モジュールと、
前記第１発光モジュール及び前記第２発光モジュールの間に設けられる回路基板と、
前記回路基板の第１側面に設けられると共に、前記第１発光モジュール及び前記第２発光モジュールの間に位置し、前記第１ビームや前記第２ビームを遮断させるために用いられる遮光部材と、
を具備することを特徴とする。
【００２３】
この好ましい実施例では、前記ケースはさらに前記第１発光モジュールの上方に設けられ、前記第１発光モジュールを保護するために用いられる保護膜層を含み、前記保護膜層は遮光領域及び真光領域を含み、前記遮光領域は前記第１ビームや前記第２ビームを遮蔽させるために用いられ、前記真光領域は前記第１ビームや前記第２ビームに応じて前記少なくとも１つの第１発光パターンや前記少なくとも１つの第２発光パターンを表示させるために用いられ、前記真光領域はあらかじめセットされた遮光率を有し、前記第１ビームや前記第２ビームが発生されない場合、前記第１発光モジュールや前記第２発光モジュールはあらかじめセットされた遮光率に応じて、前記少なくとも１つの第１発光パターンや前記少なくとも１つの第２発光パターンを表示しないことを特徴とする。
【００２４】
この好ましい実施例では、前記第１ビームや前記第２ビームが発生されない場合、前記真光領域はあらかじめセットされた遮光率に応じて外から来る光線を遮蔽し、前記少なくとも１つの第１発光パターンや前記少なくとも１つの第２発光パターンを表示させず、ここでは、前記あらかじめセットされた遮光率は７５％〜８０％の間であることを特徴とする。
【００２５】
この好ましい実施例では、前記第１発光モジュールは第１発光部材及び第１導光板からなり、前記第１発光部材は前記回路基板の第１面上に設けられ、前記第１ビームを発生させるために用いられ、前記第１導光板は前記回路基板の前記第１面上に重ねて置かれると共に、前記第１発光部材の第１側面に位置し、前記第１ビームをガイドするために用いられ、前記第２発光モジュールは第２発光部材及び第２導光板を含み、前記第２発光部材は前記回路基板の第２面上に設けられ、前記第２ビームを発生させるために用いられ、前記第２導光板は前記回路基板の前記第２面上に重ねて置かれると共に、前記第２発光部材の第１側面に位置し、前記第２ビームをガイドするために用いられることを特徴とする。
【００２６】
この好ましい実施例では、前記第１導光板は少なくとも１つの第１孔部を含み、前記第２導光板は前記少なくとも１つの第１孔部に対応する少なくとも１つの第２孔部を含み、それぞれの前記第２孔部はそれぞれの前記第１孔部と対向し、前記ケースはさらに前記少なくとも１つの第１孔部及び前記少なくとも１つの第２孔部と対応する少なくとも１つの位置決めピンを含み、前記少なくとも１つの第1孔部及び前記少なくとも１つの第２孔部を貫通し、前記第１導光板と前記第２導光板を前記ケース上に固定させるために用いられることを特徴とする。
【００２７】
この好ましい実施例では、前記第１発光部材及び前記第２発光部材はどれも側向式発光ダイオードであり、前記回路基板は前記第１導光板及び前記第２導光板と平行であることを特徴とする。
【００２８】
この好ましい実施例では、前記第１導光板はポリカーボネート材質か、ポリメチル・メタクリレート材質によって製造され、前記少なくとも１つの第１発光パターンは前記第１導光板の上表面上か下表面上に設けられ、前記第２導光板はポリカーボネート材質か、ポリメチル・メタクリレート材質によって製造され、前記少なくとも１つの第２発光パターンは前記第２導光板の上表面上か下表面上に設けられ、前記少なくとも１つの第１発光パターン及び前記少なくとも１つの第２発光パターンはどれも複数の微導光構造密集配列によってなることを特徴とする。
【００２９】
この好ましい実施例では、前記第１導光板の前記上表面と前記第２導光板の前記上表面が平坦な表面のとき、前記第１導光板と前記第２導光板は硬質のポリカーボネート材質か、ポリメチル・メタクリレート材質を採用して製造され、前記第１導光板と前記第２導光板の厚さは約１ミリメートル（ｍｍ）であり、前記第１導光板の前記上表面と前記第２導光板の前記上表面が彎曲した表面のとき、前記第１導光板と前記第２導光板は軟質のポリカーボネート材質か、ポリメチル・メタクリレート材質を採用して製造され、前記第１導光板と前記第２導光板の厚さは０．２から０．４ミリメートルであることを特徴とする。
【００３０】
この好ましい実施例では、前記遮光部材は前記第１導光板の下表面上か前記第２導光板の上表面上に設けられるとともに、前記遮光部材は塗布方式、噴霧方式、印刷方式か、貼り付け方式で前記第１導光板の前記下表面上か前記第２導光板の前記上表面上に形成される遮光材料であることを特徴とする。
【００３１】
この好ましい実施例では、前記遮光部材はプラスチック薄膜か、海綿か、遮光板であり、これは前記第１導光板及び前記第２導光板の間のギャップに設けられると共に、前記回路基板の前記第１側面に位置することを特徴とする。
【００３２】
この好ましい実施例では、前記回路基板はさらに白色光沢面ソルダマスクインクを含み、前記第１ビームや前記第２ビームを反射させるために用いられ、ここでは、前記白色光沢面ソルダマスクインクは前記回路基板の第１面及び第２面に印刷技術によって形成されることを特徴とする。
【００３３】
この好ましい実施例では、前記電子設備はマウス、充電スタンド、シュレッダー、ブルータスイヤホンや、無線キーボードのいずれかの１つであることを特徴とする。
【発明の効果】
【００３４】
本発明によれば、異なるパターンを表示する表示装置が得られる。
【図面の簡単な説明】
【００３５】
【図１】周知の表示装置の内部構造分解概略図である。
【図２】本発明に係る電子設備に応用される表示装置及び電子設備の第１実施形態を示す外観概略図である。
【図３】本発明に係る電子設備に応用される表示装置の第１実施形態を示す構造断面図である。
【図４】本発明に係る電子設備に応用される表示装置の第１実施形態を示す別の角度からの構造断面図である。
【図５】本発明に係る電子設備に応用される表示装置の第１発光部材が第１実施形態において回路基板上に設けられる様子を示す別の角度からの構造概略図である。
【図６】本発明に係る電子設備に応用される表示装置及び電子設備が第１実施形態において、第１発光パターンを表示する様子を示す外観概略図である。
【図７】本発明に係る電子設備に応用される表示装置及び電子設備が第１実施形態において、第２発光パターンを表示する様子を示す外観概略図である。
【図８】本発明に係る電子設備に応用される表示装置及び電子設備の第２実施形態を示す外観概略図である。
【図９】本発明に係る電子設備に応用される表示装置及び電子設備の第３実施形態を示す外観概略図である。
【図１０】本発明に係る電子設備に応用される表示装置の第３実施形態を示す構造断面図である。
【図１１】本発明に係る電子設備に応用される表示装置及び電子設備の第４実施形態を示す外観概略図である。
【図１２】本発明に係る電子設備に応用される表示装置の第４実施形態を示す構造断面図である。
【図１３】本発明に係る電子設備に応用される表示装置及び電子設備の第５実施形態を示す外観概略図である。
【発明を実施するための形態】
【００３６】
以下に図面を参照して、本発明を実施するための形態について、詳細に説明する。なお、本発明は、以下に説明する実施形態に限定されるものではない。
まず、本発明の電子設備に応用される表示装置の第１実施形態について説明する。
（第１実施形態）
本発明の第１実施形態の構成を図２から図７に示す。図２は本発明に係る電子設備に応用される表示装置及び電子設備の第１実施形態を示す外観概略図であり、図３は本発明に係る電子設備に応用される表示装置の第１好ましい実施形態を示す構造断面図である。図２では電子設備２が表示されており、電子設備２はケース２０及び表示装置２１を有し、ケース２０は保護層２０１を含み、本実施形態では、電子設備２はシュレッダーであり、保護層２０１はケース２０と一体型で形成される。図３では、電子設備に応用される表示装置２１は第１発光モジュール２１２、第２発光モジュール２１３及び回路基板２１４を含む。これは下から上の順序で第２発光モジュール２１３、回路基板２１４、第１発光モジュール２１２及び保護層２０１となる。
【００３７】
表示装置２１では、第１発光モジュール２１２は第１発光部材２１２１及び第１導光板２１２２を含み、第１発光部材２１２１は回路基板２１４の第１面上に設けられ、これは第１ビーム（図中では未表示）を発生させるために用いられ、第１導光板２１２２は回路基板２１４の第１面２１４１上に重ねて置かれると共に、第１発光部材２１２１の第１側面に位置し、第１ビームをガイドするために用いられる。第１導光板２１２２は複数の第１発光パターン２１２２Ａを有し、これらは第１導光板２１２２の下表面２１２２Ｂに設けられる。つまり、第１発光部材２１２１が第１ビームを発生させるとき、第１導光板２１２２上の第１発光パターン２１２２Ａが表示される。
【００３８】
一方、第２発光モジュール２１３は第２発光部材２１３１及び第２導光板２１３２を含み、第２発光部材２１３１は回路基板２１４の第２面２１４２上に設けられ、これは第２ビーム（図中では未表示）を発生させるために用いられ、第２導光板２１３２は回路基板２１４の第２面２１４２上に設けられると共に、第２発光部材２１３１の第１側面に位置し、第２ビームをガイドするために用いられる。第２導光板２１３２は複数の第２発光パターン２１３２Ａを有し、これらは第２導光板２１３２の下表面２１３２Ｂに設けられる。つまり、第２発光部材が第２ビームを発生させるとき、第２導光板２１３２上の第２発光パターン２１３２Ａが表示される。本実施形態では、それぞれの第１発光パターン２１２２Ａ及びそれぞれの第２発光パターン２１３２Ａは微導光構造密集配列によってなり、微導光構造は密集配列の微構造（例えば、マイクロレンズ、Ｖ字型切り口）や密集配列のメッシュを採用できる。形成された発光パターンの微導光構造は第１導光板２１２２や第２導光板２１３２内の局部光線の入射角を影響させ、その全反射経路を破壊し、光線が屈折し第１導光板２１２２や第２導光板２１３２を貫通するようにさせ、微導光構造位置上方に光線が透過するようにさせ、第１発光パターン２１２２Ａや第２発光パターン２１３２Ａが現れる。
【００３９】
本実施形態では、第１導光板２１２２と第２導光板２１３２はどれもポリカーボネート（ＰＣ）材質によって製造され、複数の第１発光パターン２１２２Ａは第１導光板２１２２の下表面２１２２Ｂ上に設けられ、複数の第２発光パターン２１３２Ａは第２導光板２１３２の下表面２１３２Ｂ上に設けられる。その他の実施形態では、第１導光板と第２導光板はポリメチル・メタクリレート（ＰｏｌｙＭｅｔｈｙｌ  ＭｅｔｈＡｃｒｙｌａｔｅ，ＰＭＭＡ）材質によって製造され、複数の第１発光パターンは第１導光板の上表面上に設けられ、同様に複数の第２発光パターンは第２導光板の上表面上に設けられる。
【００４０】
図３では、保護層２０１は第１発光モジュール２１２の上方に設けられ、保護層２０１は第１発光モジュール２１２を保護するために用いられる。保護層２０１は真光領域２０１１及び遮光領域２０１２を含み、遮光領域２０１２は真光領域２０１１の周りを取り囲み（図５参照）、遮光領域２０１２は第１ビーム、第２ビームや外から来る光線を遮蔽するために用いられる。真光領域２０１１は第１ビームや第２ビームに応じて第１発光パターン２１２２Ａや第２発光パターン２１３２Ａを表示させ、真光領域２０１１はあらかじめセットされた遮光率を有し、あらかじめセットされた遮光率は７５％〜８０％の間である。回路基板２１４は第１発光モジュール２１２及び第２発光モジュール２１３の一側に設けられ、回路基板２１４は第１導光板２１２２及び第２導光板２１３２と平行である。
【００４１】
図４は本発明に係る電子設備に応用される表示装置の第１実施形態を示す別の角度からの構造断面図である。第１導光板２１２２はさらに少なくとも１つの第１孔部２１２２Ｃを含み、第２導光板２１３２はさらに少なくとも１つの第２孔部２１３２Ｃを含み、これは少なくとも１つの第１孔部２１２２Ｃと対応し、それぞれの第２孔部２１３２Ｃはそれぞれの第１孔部２１２２Ｃに対向する。ケース２０はさらに少なくとも１つの位置決めピン２０２を含み、少なくとも１つの第１孔部２１２２Ｃ及び少なくとも１つの第２孔部２１３２Ｃと対応し、位置決めピン２０２は対応する第１孔部２１２２Ｃ及び第２孔部２１３２Ｃを貫通し、第１導光板２１２２と第２導光板２１３２をケース２０上に固定させるために用いられる。
【００４２】
他の実施形態では、第１導光板２１２２とケース２０の間には両面粘着テープが設けられ、これは第１導光板２１２２及びケース２０を貼り付け、第１導光板２１２２が安定してケース２０上に固定されるようにし、第１導光板２１２２とケース２０の間の結合を強化させる。
【００４３】
図５は本発明に係る電子設備に応用される表示装置の第１発光部材が第１実施形態において回路基板上に設けられる様子を示す別の角度からの構造概略図である。回路基板２１４は第１金属接点２１４３及び第２金属接点２１４４を有し、第１金属接点２１４３は回路基板２１４の第１面２１４１上に設けられ、第２金属接点２１４４は回路基板２１４の第２面２１４２上に設けられる。第１発光部材２１２１は回路基板２１４の第１面２１４１上に設けられ、第１発光部材２１２１は溶接部材２１５によって、溶接方法でその第１面２１４１上に位置する第１金属接点２１４３に接続され、本実施形態では、溶接部材２１５はスズ金属である。第２発光部材２１３１は回路基板２１４の第２面２１４２上に設けられ、第２発光部材２１３１は同様に溶接部材２１４によって溶接方法でその第２面２１４２上の第２金属接点２１４４に接続される。図５からわかるように、第１発光部材２１２１及び第２発光部材２１３１はどれも側向式発光ダイオードである。これ以外に、回路基板２１４はさらに白色光沢面ソルダマスクインク２１４６を含み、第１ビームや第２ビームを反射させるために用いられ、この白色光沢面ソルダマスクインク２１４６は回路基板２１４の第１面２１４１及び第２面２１４２上に印刷技術によって形成される。
【００４４】
ちなみに、図３では、第１発光モジュール２１２及び第２発光モジュール２１３の間にはギャップＧがあり、回路基板２１４の第１側面２１４５は前記ギャップＧに伸び込み、第１発光部材２１２１が発生させる第１ビームは回路基板２１４の第１側面２１４５によって遮断され、第１ビームが前記ギャップＧを通り、第２発光モジュール２１３に影響を与えることを避ける。同様に、第２発光部材２１３１が発生させる第２ビームは回路基板２１４の第１側面２１４５によって遮断されるため、第２ビームが前記ギャップＧを通り、第１発光モジュール２１２に影響を与えることはない。
【００４５】
電子装置に応用される表示装置２１の第１発光モジュール２１２及び第２発光モジュール２１３が駆動しない場合、第１発光モジュール２１２及び第２発光モジュール２１３はビームを発生せず、ゆえに表示装置２１は第１発光パターン２１２２Ａ及び第２発光パターン２１３２Ａを表示しない。より詳細に説明すると、第１発光部材２１２１及び第２発光部材２１３１はどれもビームを発生させないが、その周辺環境によって発生される微弱な外から来る光線は保護層２０１の真光領域２０１１中に入り、この真光領域２０１１のあらかじめセットされた遮光率は７５％〜８０％であるため、その真光領域２０１１に入った微弱な光線の７５％〜８０％は真光領域２０１１に吸収され、その残りの２０〜２５％の光線は第１導光板２１２２に入る。この残りの２０〜２５％の光線が第１導光板２１２２の下表面２１２２Ｂ上の微導光構造に到達する時、異なる方向の光線が微導光構造に入射される時の入射角は異なるため、約半分の光線は屈折を経てやはり第１導光板２１２２の下方に向かって前進し、残りの約１０％の光線は屈折を経て保護膜層２０１の方向に進む。光線が反射される過程で、真光領域２０１１はさらに光線を吸収し、残りの約２％の光線だけしか真光領域２０１１を透過しないので、第１発光パターン２１２２Ａ及び第２発光パターン２１３２Ａを現すことができず、つまり、ユーザーは第１発光パターン２１２２Ａ及び第２発光パターン２１３２Ａを見ることができない。
【００４６】
図６は本発明に係る電子設備に応用される表示装置及び電子設備が第１実施形態において、第１発光パターンを表示する様子を示す外観概略図である。第１発光モジュール２１２がオンにされ、第１発光部材２１２１がオンにされる場合、大量の第１ビームが側面から第１導光板２１２２に入り込み、一部の第１ビームは回路基板２１４の第１側面２１４５によって遮断され、回路基板２１４表面上の白色光沢面ソルダマスクインク２１４６によって反射させられ、さらに第１導光板２１２２に入り込む。第１導光板２１２２に入った第１ビームが微導光構造によって構成される第１発光パターン２１２２Ａを通るとき、この第１ビームの全反射経路は微導光構造によって破壊され、第１導光板２１２２の上方に向かって進む。この第１ビームが保護層２０１の真光領域２０１１に入るとき、約７５〜８０％の第１ビームは真光領域２０１１に吸収され、約２０〜２５％の第１ビームが通過し、発光する第１発光パターン２１２２Ａが現れるため、その発光する第１発光パターン２１２２Ａをユーザーは見ることができ、図６に示す通りである。
【００４７】
電子設備に応用される表示装置２１の第２発光モジュール２１３がオンにされる作動状況は上述の第１発光モジュール２１３２と同様であり、ここでは説明を省く。まとめると、この第２発光モジュール２１３がオンにされる場合、この発光する第２発光パターン２１３２Ａをユーザーは見ることができ、図７に示す通りである。図６及び図７からわかるように、複数の第１発光パターン２１２２Ａは例えば、あるブランドの商標マーク「ＰＲＩＭＡＸ」が配列されており、複数の第２発光パターン２１３２Ａは例えば、「紙詰まり」の文字が配列される。つまり、その複数の第１発光パターン２１２２Ａがケース２０上に表示されるとき、電子設備に応用される表示装置２１の使用状態はまさに使用状態であることを表示し、この複数の第２発光パターン２１３２Ａがケース２０上に表示されるとき、電子設備に応用される表示装置２１はまさに紙詰まり状態であることを表示し、この複数の第１発光パターン２１２２Ａ及びこの第２発光パターン２１３２Ａのいずれもケース２０上に表示されないとき、電子設備２は作動停止或いは、スリープ状態であることを示す。これにより、ユーザーはこの電子設備２の作動状態を知ることができる。
【００４８】
本実施形態では、電子設備２のケース２０は平坦な表面であり、第１導光板２１２２と第２導光板２１３２は対応して平坦な表面であり、図３に示すとおりである。そのため、導光板２１２２と第２導光板２１３２は硬質で曲げることのできないポリメチル・メタクリレート材質を採用して製造され、第１導光板２１２２と第２導光板２１３２の厚さは約１ミリメートル（ｍｍ）である。
【００４９】
上述からわかるように、電子設備に応用される表示装置２１のトータルの厚さは回路基板２１４、第１導光板２１２２及び第２導光板２１３２の厚さの総和であり、第１導光板２１２２の厚さは周知のバックライトモジュール１０の導光板１０１の厚さとほぼ同じであり、比較からわかるように、本発明の電子設備に応用される表示装置２１の厚さは周知の表示装置１（表示パネル１１を含む）のトータルの厚さより薄いため、本発明の電子設備に応用される表示装置２１の軽量薄型化が実現される。これ以外に、本発明の電子設備に応用される表示装置は表示される発光パターンを制御する制御回路を設ける必要がなく、表示パネルをその中に設ける必要がないため、本発明の電子設備に応用される表示装置はコストが低いというメリットを有する。
【００５０】
次は、本発明の電子設備に応用される表示装置の第２実施形態について説明する。
（第２実施形態）
図８は本発明に係る電子設備に応用される表示装置及び電子設備の第２実施形態を示す外観概略図である。図８は電子設備３を示しており、電子設備３はケース３０及び表示装置３１を有し、本実施形態では、電子設備３は無線キーボードであり、このケース３０は平坦な表面である。この電子設備に応用される表示装置３１の構造と第１実施形態は完全に同じであるため、無駄な記述を省略する。表示装置３１は無線キーボード３のブランドの商標マークや無線キーボード３のその無線信号受信器（図中では図示せず）とのペアリング状態を表示するために用いられ、例えば、その複数の第１発光パターンはブランドの商標マーク「ＰＲＩＭＡＸ」と配列されており、複数の第２発光パターンはペアリング進行中である「ＰＡＩＲＩＮＧ」の文字が配列される。複数の第１発光パターンと複数の第２発光パターンのいずれも表示されないとき、この電子設備３は作動停止していることを示す。
【００５１】
次は、本発明の電子設備に応用される表示装置の第３実施形態について説明する。
（第３実施形態）
本発明の第３実施形態の構成を図９及び図1０に示す。図９は本発明に係る電子設備に応用される表示装置及び電子設備の第３実施形態を示す外観概略図であり、図１０は本発明に係る電子設備に応用される表示装置の第３実施形態を示す構造断面図である。電子設備４はケース４０及び表示装置４１を有し、ケース４０は保護層４０１を含み、本実施形態では、電子設備４はブルータスイヤホンある。図９では、電子設備に応用される表示装置４１は第１発光モジュール４１２、第２発光モジュール４１３、回路基板４１４、第１遮光部材４１５及び第２遮光部材４１６を含む。これは下から上の順序で第２発光モジュール４１３、第２遮光部材４１６、回路基板４１４、第１遮光部材４１５、第１発光モジュール４１２及び保護層４０１である。
【００５２】
第１発光モジュール４１２は第１発光部材４１２１及び第１導光板４１２２を含み、第１導光板４１２２は複数の第１発光パターン４１２２Ａを有する。第２発光モジュール４１３は第２発光部材４１３１及び第２導光板４１３２を含み、第２導光板４１３２は複数の第２発光パターン４１３２Ａを有する。保護層４０１は第１発光モジュール４１２の上方に設けられ、保護層４０１は第１発光モジュール４１２を保護するために用いられ、保護層４０１は真光領域４０１１及び遮光領域４０１２を含む。
【００５３】
本実施形態では、各部材はいずれも第１実施形態とほぼ同じであり、その構造及び機能について無駄な記述を省くが、本実施形態と第１実施形態は異なる点が３点あり、第１に、本実施形態の回路基板４１４の第１側面４１４５は第１発光モジュール４１２及び第２発光モジュール４１３の間のギャップＧ’から延び出ていない。第２に、本実施形態は追加で第１遮光部材４１５及び第２遮光部材４１６が設けられ、第１遮光部材４１５は第１発光部材４１２１が発生させる第１ビームを遮断し、この第１ビームがこのギャップＧ’を通過し第２発光モジュール４１３に影響を与えることを避ける。第３に、本実施形態のケース４０は彎曲した表面であり、第１導光板４１２２と第２導光板４１３２は対応して彎曲した表面であり、図１０に示す通りである。したがって、第１導光板４１２２と第２導光板４１３２は軟質の曲げることのできるポリメチル・メタクリレート材質によって製造され、第１導光板４１２２と第２導光板４１３２はそのケース４０の彎曲した表面に合わせて彎曲し、第１導光板４１２２と第２導光板４１３２の厚さはそれぞれ約０．２から０．４ミリメートルである。
【００５４】
ちなみに、第１遮光部材４１５は第１導光板４１２２の下表面４１２２Ｂ上に設けられ、第１遮光部材４１５は塗布方式、噴霧方式、印刷方式か、貼り付け方式で第１導光板４１２２の下表面４１２２Ｂ上に形成される遮光材料である。第２遮光部材４１６は第２導光板４１３２の上表面４１３２Ｃ上に設けられ、第２遮光部材４１６は塗布方式、噴霧方式、印刷方式か、貼り付け方式で第２導光板４１３２の上表面４１３２Ｃ上に形成される遮光材料である。本実施形態では、第１遮光部材４１５は遮光インクを第１導光板４１２２の下表面４１２２Ｂ上に塗布することによって形成される遮光層であり、第２遮光部材４１６は貼り付け方式で第２導光板４１３２の上表面４１３２Ｃ上に固定される遮光粘着テープである。
【００５５】
本実施形態の電子設備４はブルータスイヤホンであり、この表示装置４１はブルータスイヤホン４のブランドの商標マークやブルータスイヤホン４が接続されるプレイヤー設備（例えば、ウォークマン（登録商標）、ＣＤプレイヤーなど音楽プレイヤー）のプレイ状態を表示させるために用いられ、例えば、複数の第１発光パターン４１２２Ａはブランドの商標マーク「ＰＲＩＭＡＸ」を配列し、複数の第２発光パターン４１３２Ａはプレイ中（ＰＬＡＹＩＮＧ）の文字や符号が配列される。
【００５６】
次は、本発明の電子設備に応用される表示装置の第４実施形態について説明する。
（第４実施形態）
本発明の第４実施形態の構成を図１１及び図１２に示す。図１１は本発明に係る電子設備に応用される表示装置及び電子設備の第４実施形態を示す外観概略図である。図１２は本発明に係る電子設備に応用される表示装置の第４実施形態を示す構造断面図である。図１１は電子設備５を示し、電子設備５はケース５０及び表示装置５１を有し、ケース５０は保護層５０１を含み、本実施形態では、電子設備５は無線マウスであり、このケース５０の底面は平坦な表面である。図１２では、電子設備に応用される表示装置５１は第１発光モジュール５１２、第２発光モジュール５１３、回路基板５１４及び遮光部材５１５を含む。これは下から上の順序で第２発光モジュール５１３、回路基板５１４（或いは、遮光部材５１５）、第１発光モジュール５１２及び保護層５０１である。
【００５７】
第１発光モジュール５１２は第１発光部材５１２１及び第１導光板５１２２を含み、第１導光板５１２２は複数の第１発光パターン５１２２Ａを有する。第２発光モジュール５１３は第２発光部材５１３１及び第２導光板５１３２を含み、第２導光板５１３２は複数の第２発光パターン５１３２Ａを有する。保護層５０１は第１発光モジュール５１２の上方に設けられ、保護層５０１は第１発光モジュール５１２を保護するために用いられ、保護層５０１は真光領域５０１１及び遮光領域５０１２を含む。
【００５８】
この電子設備に応用される表示装置５１の構造と第３実施形態はほぼ同じであり、その構造及び機能についての無駄な記述を省くが、本実施形態と第３実施形態の異なる点は、本実施形態の遮光部材５１５は第１導光板５１２２及び第２導光板５１３２の間のギャップＧ＊に設けられると共に、これは回路基板５１４の第１側面５１４５に位置し、遮光部材５１５はプラスチック薄膜か、海綿か、遮光板である。本実施形態では、遮光部材５１５はプラスチック薄膜であり、遮光部材５１５は別の真光領域５１５１及び別の遮光領域５１５２を含み、別の真光領域５１５１の位置は複数の第１発光パターン５１２２Ａ及び複数の第２発光パターン５１３２Ａに対応し、複数の第１発光パターン５１２２Ａ及び複数の第２発光パターン５１３２Ａは表示させられる。別の真光領域５１５１は回路基板５１４の第１側面５１４５に位置され、第１発光部材５１２１及び第２発光部材５１３１により発生される第１ビーム及び第２ビームを遮断させるために用いられ、第１ビーム及び第２ビームがそのギャップＧ＊を通過し、第２発光モジュール５１３及び第１発光モジュール５１２に影響を与えることを避ける。表示装置５１は無線マウス５のシフト感知装置５２の解像度状態を表示させるために用いられ、例えば、この複数の第１発光パターンは高解像度「ＨＩＧＨ」の文字が配列され、複数の第２発光パターンは低解像度「ＬＯＷ」の文字が配列される。
【００５９】
次は、本発明の電子設備に応用される表示装置の第５実施形態について説明する。
（第５実施形態）
図１３は本発明に係る電子設備に応用される表示装置及び電子設備の第５実施形態を示す外観概略図である。図１３は電子設備６を表示しており、電子設備６はケース６０及び表示装置６１を有し、本実施形態では、電子設備６は充電スタンドであり、そのケース６０は彎曲した表面である。この電子設備に応用される表示装置６１の構造と第２実施形態はほぼ同じであり、この構造及び機能についての無駄な記述を省く。表示装置６１は充電スタンド６のブランドの商標マークや充電スタンド６の充電状態を表示させるために用いられ、例えば、その複数の第１発光パターンはブランドの商標マーク「ＰＲＩＭＡＸ」の文字が配列され、複数の第２発光パターンは充電中（ＣＨＡＲＧＩＮＧ）のマークが配列される。複数の第１発光パターンと複数の第２発光パターンのいずれも表示されないとき、この電子設備６は充電停止か充電完了であることを表示する。
【００６０】
第２実施形態の電子設備に応用される表示装置３１の構造は第１実施形態と完全に同じであるが、この表示装置３１は第３実施形態の表示装置４１の構造を採用できる。同様に、第４実施形態の電子設備に応用される表示装置５１の構造は第２実施形態とほぼ同じであるが、この表示装置５１は第１実施形態の表示装置２１の構造を採用できる。また、第５実施形態の電子設備に応用される表示装置６１の構造は第２実施形態とほぼ同じであるが、この表示装置６１は第１実施形態の表示装置２１の構造を採用できる。
【００６１】
上述の各実施形態からわかるように、本発明の電子設備に応用される表示装置は発光部材及び少なくとも２つの導光板のみを利用し、少なくとも２種類の異なる発光パターンを表示でき、液晶パネル及び制御回路をその中に設ける必要がなく、本発明の電子設備に応用される表示装置は比較的薄い厚さを有するだけでなく、製造コストを下げることもできる。これ以外に、２つの導光板上の発光パターンが相互に干渉することを避けるために、本発明の電子設備に応用される表示装置は回路基板や遮光部材を利用して遮光を行い、それぞれの導光板はその上に位置する発光パターンをそれぞれ明確に表示させることができる。もちろん、この回路基板の第１側面が第１導光板及び第２導光板の間のギャップから延び出る場合、この回路基板の第１側面は第１ビーム及び第２ビームを遮断するため、別に遮光部材を設ける必要がなく、さらにコストを下げることができる。
【００６２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００６３】
１、２１、３１、４１、５１、６１  表示装置
２、３、４、５、６  電子設備
１０  バックライトモジュール
１１  表示パネル
２０、３０、４０、５０、６０  ケース
５２  シフト感知装置
１０１  導光板
１１１  第１偏光フィルター
１１２  第１ガラス板
１１３  液晶分子
１１４  第２ガラス板
１１５  第２偏光フィルター
２０１、４０１、５０１  保護層
２０２  位置決めピン
２１２、４１２、５１２  第１発光モジュール
２１３、４１３、５１３  第２発光モジュール
２１４、４１４、５１４  回路基板
２１５  溶接部材
４１５  第１遮光部材
４１６  第２遮光部材
５１５  遮光部材
１１２１  第１透明導電膜
１１４１  第２透明導電膜
２０１１、４０１１、５０１１  真光領域
２０１２、４０１２、５０１２  遮光領域
２１２１、４１２１、５１２１  第１発光部材
２１２２、４１２２、５１２２  第１導光板
２１３１、４１３１、５１３１  第２発光部材
２１３２、４１３２、５１３２  第２導光板
２１４１  回路基板の第１面
２１４２  回路基板の第２面
２１４３  第１金属接点
２１４４  第２金属接点
２１４５、４１４５、５１４５  回路基板の第１側面
２１４６  白色光沢面ソルダマスクインク
５１５１  別の真光領域
５１５２  別の遮光領域
２１２２Ａ、４１２２Ａ、５１２２Ａ  第１発光パターン
２１２２Ｂ、４１２２Ｂ  第１導光板の下表面
２１２２Ｃ  第１孔部
２１３２Ａ、４１３２Ａ、５１３２Ａ  第２発光パターン
２１３２Ｂ  第２導光板の下表面
２１３２Ｃ  第２孔部
４１３２Ｃ  第２導光板の上表面
Ｇ、Ｇ’、Ｇ＊  ギャップ
【図１】
2013182273.tif 000003
【図２】
2013182273.tif 000004
【図３】
2013182273.tif 000005
【図４】
2013182273.tif 000006
【図５】
2013182273.tif 000007
【図６】
2013182273.tif 000008
【図７】
2013182273.tif 000009
【図８】
2013182273.tif 000010
【図９】
2013182273.tif 000011
【図１０】
2013182273.tif 000012
【図１１】
2013182273.tif 000013
【図１２】
2013182273.tif 000014
【図１３】
2013182273.tif 000015